(57)【要約】【課題】台座およびマットレスの構造を従来より簡略化するとともにマッサージ効果の十分なマッサージ機能付きベッド装置を提供する。【解決手段】マットレス１１を戴置する平面を備える台座１２と、台座１２の一端に立設された支軸２２と、該支軸２２の先端部に回動可能に配設されたヘッドボード２０と、を備えるベッド装置において、ヘッドボード２０内部にマッサージ装置を備えるようにした。【選択図】　　　図１
2004016576.tif 000002
【特許請求の範囲】
【請求項１】
マットレスを戴置する平面を備える台座と、該台座の一端に立設されたヘッドボードと、該ヘッドボードの内部に配設されたマッサージ装置と、を備えていることを特徴とするベッド装置。
【請求項２】
前記ベッド装置は、前記台座に立設された支軸と、該支軸に回動可能に保持された前記ヘッドボードとを備え、前記ヘッドボードは前記支軸との接合部を前記ヘッドボード上端部に備えていることを特徴とする請求項１記載のベッド装置。
【発明の詳細な説明】
【０００１】
【発明の属する技術分野】
本発明はベッドの一端部にヘッドボードを備えるベッド装置に関する。
【０００２】
【従来の技術】
従来からベッド装置において、ベッド装置にマッサージ機能を備えた製品が市販されている。このようなベッド装置では、マットレスやベッドフレームに設けられたマッサージ用の装置を使用することによって、ベッドの使用者に対してマッサージ効果を与えることができる。ここで、マッサージ機能とは、ローラ等による押圧および打撃や、振動、空気圧等を適宜組み合わせて用いて、人体に対して疲労回復効果をもたらす機能とする。
【０００３】
このベッド装置は、ベッド装置とマッサージ機とを部屋に配置した場合にベッド装置とマッサージ機とが部屋の大半の部分を占有してしまうという問題を解決し、部屋の空間を有効に使用できるようにしている。
【０００４】
さらに、このようなマッサージ機能を備えたベッド装置の中には、マットレスおよび台座の一部が回動して起き上がり、この回動した部分を背もたれとして使用することが可能なものがある。
【０００５】
【発明が解決しようとする課題】
しかしながら、上記のベッド装置のように、マッサージ機能を備え、かつ台座の一部が回動し背もたれとして使用するベッド装置の場合には、ベッド装置の台座またはマットレスに、マッサージのための機構および、台座の一部が回動するための機構を取り付けることが必要である。
【０００６】
ここで、マットレスの一部を回動させるためには、回動させるための回動機構をマットレスに設けるか、マットレスを戴置する台座に回動機構を設けて台座の一部の回動に伴ってマットレスの一部を回動することが必要になる。しかしながら、いずれの場合においても手動による回動は困難であるため、一般的にモータなどの駆動源と、駆動源の動力を伝達するための伝達装置とを回動機構に付加し、駆動源の駆動力を使用して回動させられるが、これらをベッド装置に取り付けることによりコストが上昇することになる。さらにこれらの駆動源および伝達装置をベッド装置に装着することにより、ベッド装置のマットレスまたは台座の寸法が大きくなるため台座の下の空間が狭くなり、この空間を有効に利用できなくなるという問題があった。このため、ベッド下部に引き出し等を設置するための収納スペースを設けることができなかった。
【０００７】
また、台座上に設置するマットレスについても、マットレスの回動に伴ってマットレスの形状が変化するような構造または素材である必要があるが、一般的なマットレスは曲がりにくいため使用できなかった。そのため、背もたれとして使用することのできる特別なマットレスを用いる仕様となってしまうため、汎用性に乏しく、コスト的な面から見ても問題があった。
【０００８】
さらに、マットレスにマッサージ機能を備えている場合には、マッサージを使用しない状態において、寝返りを打った際などに叩きマッサージ用の打撃用の部品等が体に当たることがあるため、寝心地があまり良くないという問題があった。そこで、この打撃用の部品を用いる代わりに、打撃によるマッサージ効果を得ることを目的として空気圧による打撃押圧装置を配設したり、バイブレータの振動を利用しているが、マッサージ効果は十分とは言えなかった。
【０００９】
また、商品管理上から見た場合には、マットレスや台座の様に比較的寸法の大きい部品について、マッサージ専用あるいは形状変化に対応可能な部品と、一般的な部品とを、それぞれ管理しなければならないという問題があった。さらに、従来の一般的なベッド装置について、マッサージ機能を追加するには、マットレスや台座などのベッド装置の主要部分を交換しなければならなかった。
【００１０】
本発明は上記課題を解決したもので、台座およびマットレスの構造を簡略化したマッサージ機能付きベッド装置を提供する。
【００１１】
【課題を解決するための手段】
上記技術的課題を解決するために、本発明の請求項１において講じた技術的手段は、マットレスを戴置する平面を備える台座と、該台座の一端に立設されたヘッドボードと、該ヘッドボードの内部に配設されたマッサージ装置、とを備えていることを特徴とするベッド装置である。
【００１２】
上記請求項１の発明によれば、マットレスを戴置する平面を備える台座と、該台座の一端に立設されたヘッドボードと、ヘッドボードの内部に配設されたマッサージ装置とを備えることにより、背もたれとしてヘッドボードにもたれ掛かる時に、同時に背中をマッサージすることが可能になる。また、従来のベッド装置の台座あるいはマットレスにマッサージ機能を備えたベッド装置と比較して、ベッドの台座およびマットレスの構造を簡略化することができる。これによって、ベッド装置に使用する台座およびマットレスを一般的なベッド装置のものと共通化することができるようになるとともに、ヘッドボードの取り替えのみによって一般的な従来のベッド装置にマッサージ機能を付加することができる。
【００１３】
また、上記技術的課題を解決するために、本発明の請求項２において講じた技術的手段は、前記ベッド装置は、前記台座に立設された支軸と、該支軸に回動可能に保持された前記ヘッドボードとを備え、前記ヘッドボードは前記支軸との接合部を前記ヘッドボード上端部に備えていることを特徴とする請求項１記載のベッド装置である。
【００１４】
上記請求項２の発明によれば、ベッド装置の台座に立設された支軸と、該支軸に回動可能に保持されたヘッドボードとを備え、前記ヘッドボードは前記支軸との接合部を前記ヘッドボード上端部に備えることにより、ヘッドボードを任意の角度に傾斜させてもたれ掛かることができるようになる。さらに、ヘッドボードの支軸との接合部をヘッドボードの上端部に備えることにより、ヘッドボードを回動した際にヘッドボードがベッドの外形の外側に突出することがないので、ベッド周りの空間を効率的に使用することができる。
【００１５】
【発明の実施の形態】
以下、本発明の実施例について、図面に基づいて説明する。
【００１６】
本発明の一実施例のベッド装置の斜視図を図１に示す。
【００１７】
本例によるベッド装置１００は、マットレス１１と、マットレス１１を戴置する平面を備える台座１２と、台座１２の一端に立設された支軸２２と、支軸２２に配設されたヘッドボード２０と、台座１２を支持する脚１５とを備えている。
【００１８】
ヘッドボード２０は、台座１２に立設する支軸２２に回動可能に軸支されかつ任意の角度に回動した状態で枢止される板状の部材である。また、ヘッドボード２０内部には、クッション材が配設されており、ベッド側の面のほぼ中央にマッサージ装置のローラー２５を上下動可能に複数備え、ローラー２５の周辺にはヘッドボード２０を振動させるマッサージ装置のバイブレータ２６を備えている。そして、ヘッドボード２０上端部には、支軸２２と回動可能に連結するための接合部２８を備えている。
【００１９】
ここで、ローラー２５は、ヘッドボード２０に配設されたレールに沿って上下運動し、背筋を押圧することにより、こりをほぐすことができる。また、バイブレータ２６は、ヘッドボード２０を振動させることにより、背中、腰周辺に振動を伝達することにより、こりをほぐすことが可能である。
【００２０】
また、ヘッドボード２０の上端に、接合部２８が配設されていることにより、図２に示すように、ヘッドボード２０を回動した際に、ヘッドボード２０上部がベッドの外側に突出することはほとんど無くなる。これにより、ベッド装置１００を配置する際に、ヘッドボード２０を回動するためのベッド周囲の余裕を考慮することが必要なくなるので、部屋の空間を有効に活用することができる。
【００２１】
また、背もたれ機構およびマッサージ装置を、マットレス１１や台座１２に配設せずにヘッドボード２０に内蔵することにより、台座１２の下部には十分な空間が確保されるので、この空間を収納用スペースとして利用することも可能である。また、脚１５の長さを調節してベッド装置１００を好みの高さに設定したり、あるいは脚１５を取り外した構成のベッド装置とするなど、使用者のニーズに合わせて変更して利用することが可能である。
【００２２】
ここで、このベッド装置１００は、ヘッドボード２０の回転半径内にはマットレス１１あるいは台座１２を配置しないような構造としているので、ヘッドボード２０は自由に回動可能になっている。
【００２３】
ヘッドボード２０には、リモコン２３が取り付けられており、このリモコン２３を操作して、ローラー２５およびバイブレータ２６の強さ、早さ、パターンを選択することができる。また、ヘッドボード２０にモータ等を取り付け、ヘッドボード２０の回動を電動式で行うようにした場合には、リモコン２３でヘッドボード２０を回動操作できるようにすることも可能である。
【００２４】
このベッド装置１００によれば、使用者は手動またはリモコン２３を操作することによって、ヘッドボード２０を任意の角度に回動することができる。その後、ヘッドボード２０にもたれ掛かり、リモコン２３を適宜操作してローラー２５またはバイブレータ２６によるマッサージを受けることができる。
【００２５】
また、ヘッドボード２０を回動可能かつ昇降可能とした場合には、ヘッドボード２０の回動に伴って、ヘッドボード２０の下端とマットレス１１との間に生じる隙間を解消することができる。また、ヘッドボード２０を回動し略水平にし、マットレス１１上に戴置することにより、ヘッドボード２０の上に足や腰を載せてマッサージすることも可能である。また、台座１２あるいは支軸２２に対してヘッドボード２０を着脱可能とした場合にも同様に、足や腰をマッサージすることが可能である。
【００２６】
本実施例においては、ヘッドボード２０は、接合部２８をヘッドボード２０上部に備え、支軸２２に回動可能に軸支される構成としたが、これに限らず、例えば、接合部２８をヘッドボード２０下部に備えて、支軸２２を介さず台座１２に接合するような構成とすることも可能である。また、ヘッドボード２０に内蔵されるマッサージ装置についても、ローラー２５とバイブレータ２６を備える例を示したが、肩もみ機などを追加したり、あるいはマッサージ装置の組み合わせを変更することも可能である。また、マットレス１１を使用しないようなベッド装置や、マットレス１１と台座１２が一体となったようなベッド装置についても適用可能である。
【００２７】
また、本ベッド装置１００は、ヘッドボード２０にマッサージ装置を内蔵する構成としたことによって、従来のベッドのヘッドボードのみを取り替えることで、従来のベッド装置に対してマッサージ機能を付加することが可能となる。さらには、ヘッドボードを持たないベッド装置に対して本発明のヘッドボード２０を取り付けることも可能であるし、ベッド装置のフットボード側に本発明のヘッドボード２０を取り付けることも可能である。
【００２８】
【発明の効果】
以上のように、本発明によれば、ヘッドボードを備えるベッド装置において、ヘッドボードにマッサージ装置を配設することによってマッサージ装置付ベッド装置の構造を簡略化するとともに、ベッド装置そのものの寝心地を損なうことなく、十分なマッサージ効果を得ることができる。
【図面の簡単な説明】
【図１】本発明の実施例にかかるベッド装置における部分斜視図である。
【図２】図１におけるベッド装置のヘッドボード周辺の部分側面図である。
【図３】本発明の実施例にかかるベッド装置の斜視図である。
【符号の説明】
１１・・・マットレス
１２・・・台座
２０・・・ヘッドボード
２２・・・支軸
２５・・・ローラー（マッサージ装置）
２６・・・バイブレータ（マッサージ装置）
２８・・・接合部
１００・・・ベッド装置
【図１】
2004016576.tif 000003
【図２】
2004016576.tif 000004
【図３】
2004016576.tif 000005